【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
車輪と該車輪を下端において支持すると共に上端において摺動揺動軸によって揺動可能に連結された一対のフレームとを有する歩行補助具であって、前記一対のフレームが前記摺動揺動軸を中心に揺動して閉じられた状態において当該一対のフレーム相互の間に隙間がなく全体として一本に見えると共に、前記一対のフレームのうちの一方のフレームに設けられた前後方向の長穴によって前記摺動揺動軸を摺動可能に支持することを特徴とする歩行補助具。
【請求項２】
前記一対のフレームの間に掛け渡されて取り付けられ、前記一対のフレームが揺動して閉じられる際に各フレームの軸心方向がぶれないように案内するためのアーチを有することを特徴とする請求項１記載の歩行補助具。
【請求項３】
前記一対のフレームに対する前記アーチの傾斜が増加することによって前記一対のフレームが揺動して閉じられることを特徴とする請求項２記載の歩行補助具。
【請求項４】
前記一対のフレームのうちの少なくとも一方の側方にグリップが取り付けられていることを特徴とする請求項１記載の歩行補助具。
【請求項５】
前記一対のフレームのうちの一方のフレームの他方のフレームと対向する側に軸方向の凹部が形成され、前記一対のフレームが揺動して閉じられる際に前記凹部に前記他方のフレームの少なくとも一部が入り込んで収容されることを特徴とする請求項１記載の歩行補助具。
【請求項６】
前記一対のフレームが前フレームと後フレームとからなり、前記凹部が前記前フレームの後側に形成されると共に前記後フレームの少なくとも一部が前記前フレームの凹部に収容されることを特徴とする請求項１記載の歩行補助具。
【請求項７】
前記一対のフレームの間に掛け渡されて両端が前記一対のフレームのそれぞれに対して揺動可能であると共に少なくとも一端が前記一対のフレームのうちの一方に対して摺動可能であるように取り付けられ且つ前記摺動可能である端部に吊り上げ部材が繋がれているアーチを有し、前記吊り上げ部材を介して前記摺動可能である端部が吊り上げられることを特徴とする請求項１記載の歩行補助具。
【請求項８】
前記一対のフレームの上端にブレーキレバーが備えられると共に前記フレームの下端に支持される車輪を制動するためのブレーキと前記ブレーキレバーの操作を前記ブレーキに伝達するためのブレーキ操作伝達部材とを有し、前記ブレーキを備える車輪を支持する前記フレームを筒状に形成すると共に前記ブレーキ操作伝達部材を前記筒状のフレームの内部を通過させることを特徴とする請求項１記載の歩行補助具。
【手続補正２】
【補正対象書類名】明細書
【補正対象項目名】０００７
【補正方法】変更
【補正の内容】
【０００７】
かかる目的を達成するため、請求項１記載の歩行補助具は、車輪と該車輪を下端において支持すると共に上端において摺動揺動軸によって揺動可能に連結された一対のフレームとを有する歩行補助具であって、一対のフレームが摺動揺動軸を中心に揺動して閉じられた状態において当該一対のフレーム相互の間に隙間がなく全体として一本に見えると共に、一対のフレームのうちの一方のフレームに設けられた前後方向の長穴によって摺動揺動軸を摺動可能に支持するようにしている。したがって、この歩行補助具によると、一対のフレームが閉じられた状態においてフレーム相互間に隙間がなくなるようにしているので、一対のフレームが閉じられた状態において全体として一本のように見える。この歩行補助具によると、さらに、一対のフレームを連結するための揺動軸を前後方向の長穴で摺動可能に支持するようにしているので、一対のフレームを連結する揺動軸の位置が前後方向に移動する。
【手続補正３】
【補正対象書類名】明細書
【補正対象項目名】０００８
【補正方法】変更
【補正の内容】
【０００８】
また、請求項２記載の発明は、請求項１記載の歩行補助具において、一対のフレームの間に掛け渡されて取り付けられ、一対のフレームが揺動して閉じられる際に各フレームの軸心方向がぶれないように案内するためのアーチを有するようにしている。この場合には、一対のフレームに掛け渡されたアーチを備えるようにしているので、一対のフレームを揺動させて閉じようとした際にそれぞれの軸心位置がぶれることなく一致した状態で両フレームが揺動して閉じ合わされる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項３記載の発明は、請求項２記載の歩行補助具において、一対のフレームに対するアーチの傾斜が増加することによって一対のフレームが揺動して閉じられるようにしている。
【手続補正６】
【補正対象書類名】明細書
【補正対象項目名】００１１
【補正方法】変更
【補正の内容】
【００１１】
また、請求項４記載の発明は、請求項１記載の歩行補助具において、一対のフレームのうちの少なくとも一方の側方にグリップが取り付けられているようにしている。この場合には、グリップを備えるようにしているので、例えば買い物時などに荷物を掛けたり、歩行補助具を持ち運ぶ際や両フレームを揺動させて開いたり閉じたりする際などに使用者が握ったりして使用することができる。
【手続補正７】
【補正対象書類名】明細書
【補正対象項目名】００１２
【補正方法】変更
【補正の内容】
【００１２】
また、請求項５記載の発明は、請求項１記載の歩行補助具において、一対のフレームのうちの一方のフレームの他方のフレームと対向する側に軸方向の凹部が形成され、一対のフレームが揺動して閉じられる際に凹部に他方のフレームの少なくとも一部が入り込んで収容されるようにしている。この場合には、一対のフレームのうち一方のフレームの凹部に他方のフレームを収容するようにしているので、一対のフレームが閉じられた状態においては全体として一本のように見える。
【手続補正８】
【補正対象書類名】明細書
【補正対象項目名】００１３
【補正方法】変更
【補正の内容】
【００１３】
また、請求項６記載の発明は、請求項１記載の歩行補助具において、一対のフレームが前フレームと後フレームとからなり、凹部が前フレームの後側に形成されると共に後フレームの少なくとも一部が前フレームの凹部に収容されるようにしている。この場合には、一対のフレームのうち前フレームの凹部に後フレームを収容するようにしているので、一対のフレームが閉じられた状態においては全体として一本のように見える。
【手続補正９】
【補正対象書類名】明細書
【補正対象項目名】００１４
【補正方法】変更
【補正の内容】
【００１４】
また、請求項７記載の発明は、請求項１記載の歩行補助具において、一対のフレームの間に掛け渡されて両端が一対のフレームのそれぞれに対して揺動可能であると共に少なくとも一端が一対のフレームのうちの一方に対して摺動可能であるように取り付けられ且つ摺動可能である端部に吊り上げ部材が繋がれているアーチを有し、吊り上げ部材を介して摺動可能である端部が吊り上げられるようにしている。この場合には、吊り上げ部材を用いてアーチを傾斜させることによって両フレームを引き寄せる力を加えるようにしているので、一対のフレームを揺動して閉じようとする動作・変形が助勢される。
【手続補正１０】
【補正対象書類名】明細書
【補正対象項目名】００１５
【補正方法】変更
【補正の内容】
【００１５】
また、請求項８記載の発明は、請求項１記載の歩行補助具において、一対のフレームの上端にブレーキレバーが備えられると共にフレームの下端に支持される車輪を制動するためのブレーキとブレーキレバーの操作をブレーキに伝達するためのブレーキ操作伝達部材とを有し、ブレーキを備える車輪を支持するフレームを筒状に形成すると共にブレーキ操作伝達部材を筒状のフレームの内部を通過させるようにしている。この場合には、ブレーキ操作伝達部材が露出することがなく外観として現れない。
【手続補正１１】
【補正対象書類名】明細書
【補正対象項目名】００１６
【補正方法】変更
【補正の内容】
【００１６】
請求項１記載の歩行補助具によれば、一対のフレームが閉じられた状態において全体として一本のように見えるので、外観をスマートにして見栄えの向上を図ることが可能になる。請求項１記載の歩行補助具によれば、また、一対のフレームを揺動させて閉じたときのフレーム間の隙間が通常はないようにすると共に指などを挟んでしまった場合にはフレーム間に隙間を確保するようにすることができ、安全性を損ねることなく一対のフレームを揺動させて閉じた場合のフレーム間の隙間をなくすようにすることができるので、安全性と共に見栄えの向上を図ることが可能になる。請求項１記載の歩行補助具によれば、さらに、一対のフレームを連結する揺動軸の位置を前後方向に移動させることができるので、一対のフレームを開脚した状態から揺動軸を中心として揺動させて閉脚させる際にフレーム間に指などを挟んでしまったとしても揺動軸が後方に移動してフレーム間に隙間を確保しながらフレーム同士を揺動させて閉じることができ、安全性の向上を図ることが可能になる。
【手続補正１２】
【補正対象書類名】明細書
【補正対象項目名】００１７
【補正方法】変更
【補正の内容】
【００１７】
請求項２記載の歩行補助具によれば、一対のフレームを揺動させて閉じようとした際にそれぞれの軸心位置がぶれることなく一致した状態で両フレームを閉じ合わせることができるので、両フレームの閉脚操作の快適性の向上を図ることが可能になる。また、アーチが突っ支いの役割を果たすので両フレームの開脚の範囲が制限される。さらに、揺動連結された両フレームの捻れによる変形を防止することができ、強度の向上が可能になる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項４記載の歩行補助具によれば、荷物をかけたり歩行補助具を操作等する際に握ったりすることができるグリップを備えるようにしているので、快適性の向上を図ることが可能になる。
【手続補正１５】
【補正対象書類名】明細書
【補正対象項目名】００２０
【補正方法】変更
【補正の内容】
【００２０】
請求項５記載の歩行補助具によれば、一対のフレームが閉じられた状態においては全体として一本のように見えるので、外観をスマートにして見栄えの向上を図ることが可能になる。
【手続補正１６】
【補正対象書類名】明細書
【補正対象項目名】００２１
【補正方法】変更
【補正の内容】
【００２１】
請求項６記載の歩行補助具によれば、一対のフレームが閉じられた状態においては全体として一本のように見えるので、外観をスマートにして見栄えの向上を図ることが可能になる。
【手続補正１７】
【補正対象書類名】明細書
【補正対象項目名】００２２
【補正方法】変更
【補正の内容】
【００２２】
請求項７記載の歩行補助具によれば、一対のフレームを揺動させて閉じようとする動作・変形が助勢されるので、両フレームの閉脚操作の快適性の向上を図ることが可能になる。
【手続補正１８】
【補正対象書類名】明細書
【補正対象項目名】００２３
【補正方法】変更
【補正の内容】
【００２３】
請求項８記載の歩行補助具によれば、ブレーキ操作伝達部材をフレームの内部に収容するようにしているので、使用中にブレーキケーブルが例えば周辺物に引っ掛かってしまって急な方向転換をしたり急な制動がかかったりするなどの危険が発生する虞やブレーキケーブルが伸びてしまう虞がなく、安全性の向上を図ることが可能になる。